(57)【要約】【課題】横溝の有無に関係なく、軒樋の前耳及び後耳の抜け外れを防止できると共に、軒樋が前耳係止部及び後耳係止部に係止したことを容易に確認することのできる安価な軒樋支持具を提供する。【解決手段】軒樋Ｔ、Ｔ’の前耳Ｔ１及び後耳Ｔ２を係止する前耳係止部１及び後耳係止部２を備えた軒樋支持具において、前記前耳係止部１及び後耳係止部２には、前記前耳Ｔ１及び／又は後耳Ｔ２の抜け外れを防止する抜け止めバネ片３を内方に突出させて設けると共に、前記前耳係止部１又は後耳係止部２の少なくとも一方には、昇降自在なピン４を設けてなる。【選択図】図１
2007146463.tif 000002
【特許請求の範囲】
【請求項１】
軒樋の前耳及び後耳を係止する前耳係止部及び後耳係止部を備えた軒樋支持具において、
前記前耳係止部及び後耳係止部には、前記前耳及び／又は後耳の抜け外れを防止する抜け止めバネ片を内方に突出させて設けると共に、前記前耳係止部又は後耳係止部の少なくとも一方には、昇降自在なピンを設けたことを特徴とする軒樋支持具。
【請求項２】
請求項１において、
ピンが通じる軸孔は、前記ピンの外径よりも大きいルーズな孔に形成したことを特徴とする軒樋支持具。
【発明の詳細な説明】
【技術分野】
【０００１】
本発明は、軒樋の前耳及び後耳を係止する前耳係止部及び後耳係止部を備えた軒樋支持具の改良に関する。
【背景技術】
【０００２】
従来、軒樋の前耳及び後耳を係止する前耳係止部及び後耳係止部を備えた軒樋支持具において、前記前耳及び後耳を、対応する前耳係止部及び後耳係止部に各々嵌め込んだ後、これら前耳及び後耳の抜け外れを防止する様々なものが提案されている（例えば、特許文献１参照。）。
【０００３】
図３（ａ）、（ｂ）は、前耳及び後耳の抜け外れを防止する構造の一例を示した従来の軒樋支持具であり、図３（ａ）は、バネ片による前耳及び後耳の抜け外れ防止構造を示した概略説明図、図３（ｂ）は、昇降自在なピンによる前耳及び後耳の抜け外れ防止構造を示した概略説明図である。
【０００４】
この図３（ａ）で示した軒樋支持具１００は、前耳係止部１０１及び後耳係止部１０２には、軒樋Ｔの前耳Ｔ１及び後耳Ｔ２の抜け外れを防止する抜け止めバネ片１０３を内方に突出させてなる。
【０００５】
このような構成の軒樋支持具１００では、軒樋Ｔの前耳Ｔ１及び後耳Ｔ２を、前耳係止部１０１及び後耳係止部１０２の下方から各々抜け止めバネ片１０３に向けて押し込めば、この抜け止めバネ片１０３が、図中矢印で示すように、上方に弾性変形されて、前耳Ｔ１及び後耳Ｔ２を、前耳係止部１０１及び後耳係止部１０２に挿入し、これら前耳Ｔ１及び後耳Ｔ２を係止する。
【０００６】
一方、前耳Ｔ１及び後耳Ｔ２が係止されると同時に、上方に弾性変形されていた抜け止めバネ片１０３は、その弾性力によって、図示された元の位置に復元されるため、前耳Ｔ１及び後耳Ｔ２の抜け外れを防止できるのである。
【０００７】
次に、図３（ｂ）で示した軒樋支持具２００は、前耳係止部１０１及び後耳係止部１０２には、軒樋Ｔの前耳Ｔ１及び後耳Ｔ２の抜け外れを防止する昇降自在なピン１０４を設けてなる。
【０００８】
このような構成の軒樋支持具２００では、軒樋Ｔの前耳Ｔ１及び後耳Ｔ２を、前耳係止部１０１及び後耳係止部１０２の下方から各々のピン１０４に向けて押し込めば、このピン１０４が、図中矢印で示すように、上方に押し上げられて、前耳Ｔ１及び後耳Ｔ２を、前耳係止部１０１及び後耳係止部１０２に挿入し、これら前耳Ｔ１及び後耳Ｔ２を係止する。
【０００９】
一方、前耳Ｔ１及び後耳Ｔ２が係止されると同時に、上方に押し上げられていた各々のピン１０４は、その自重によって、図示された元の位置に落下して復元されるため、前耳Ｔ１及び後耳Ｔ２の抜け外れを防止できるのである。
【００１０】
ところが、軒樋Ｔには、様々なものがあり、例えば、強度の高い金属製の軒樋Ｔ’であれば、図４、図５で示すように、前耳Ｔ１及び後耳Ｔ２を形成するために、これらを折り曲げ形成した終端が、内側に向けて終結している。そのため、このような金属製等の軒樋Ｔ’では、その内壁面上部に横溝Ｔ３が形成されている。
【００１１】
図４（ａ）、（ｂ）は、軒樋Ｔ’を、図３で示した軒樋支持具１００に取付けた状態の概略説明図であり、図５（ａ）、（ｂ）は、軒樋Ｔ’を、図３で示した軒樋支持具２００に取付けた状態の概略説明図を各々示したものである。
【００１２】
先ず、図４（ａ）で示すように、軒樋Ｔ’を、前述の要領で軒樋支持具１００に取付けたとすれば、軒樋Ｔ’が風雨等によって多少動けば、抜け止めバネ片１０３が横溝Ｔ３に嵌まり込んでしまい、図４（ｂ）で示すように、軒樋Ｔ’が傾いて係止されてしまったり、或いは、軒樋Ｔ’が外れ落ちる危険がある。
【００１３】
一方、図５（ａ）で示すように、軒樋Ｔ’を、前述の要領で軒樋支持具２００に取付けたとすれば、軒樋Ｔ’が風雨等によって多少動いても、各々のピン１０４が前耳Ｔ１及び後耳Ｔ２の横移動を規制して、図５（ｂ）で示すように、軒樋Ｔ’が傾いて係止されてしまったり、或いは、軒樋Ｔ’が外れ落ちる危険はない。
【特許文献１】特開２００１−１８２２４２号
【発明の開示】
【発明が解決しようとする課題】
【００１４】
このように昇降自在なピン１０４を設けた軒樋支持具２００では、ピン１０４の加工精度が要求されるという問題はあるが、軒樋Ｔ、Ｔ’の形状、すなわち、横溝Ｔ３の有無に関係なく、これらの前耳Ｔ１及び後耳Ｔ２の抜け外れを防止できる点では好ましい。
【００１５】
しかしながら、この軒樋支持具２００は、軒樋Ｔ、Ｔ’の前耳Ｔ１及び後耳Ｔ２が、前耳係止部１０１及び後耳係止部１０２に挿入して係止したときには、各々のピン１０４が落下する構造であるため、軒樋Ｔ、Ｔ’が前耳係止部１０１及び後耳係止部１０２に挿入して係止したことの確認が困難であるという問題がある。
【００１６】
特に、軒樋支持具２００に軒樋Ｔ、Ｔ’を取付ける作業においては、これら軒樋Ｔ、Ｔ’を下方から見上げた状態で取付作業することが多く、目視による確認ができないことが多い。
【００１７】
一方、抜け止めバネ片１０３を設けた軒樋支持具１００では、軒樋Ｔ、Ｔ’の前耳Ｔ１及び後耳Ｔ２が、前耳係止部１０１及び後耳係止部１０２に挿入して係止したときには、抜け止めバネ片１０３の弾性復元時に生じるクリック音が発呼されるので、軒樋Ｔ、Ｔ’が前耳係止部１０１及び後耳係止部１０２に挿入して係止したことの確認が容易である反面、前述した通り、軒樋Ｔ’が傾いて係止されてしまったり、或いは、軒樋Ｔ’が外れ落ちる危険がある。
【００１８】
そのため、軒樋支持具１００における抜け止めバネ片１０３の端部形状を、横溝Ｔ３に嵌まり込まないように変形して、軒樋Ｔ’専用の抜け止めバネ片１０３を形成することも考えたが、横溝Ｔ３の形成された軒樋Ｔ’は、一般的な軒樋Ｔに比べて、その生産量が少ないため、このような軒樋Ｔ’専用の抜け止めバネ片１０３を形成すれば、そのための材料コストや加工費用等が新たに必要となり、高コストになるという問題がある。
【００１９】
本発明は、かかる課題を解決することを目的とするもので、軒樋Ｔ、Ｔ’の形状、すなわち、横溝Ｔ３の有無に関係なく、これらの前耳Ｔ１及び後耳Ｔ２の抜け外れを防止できると共に、軒樋Ｔ、Ｔ’が前耳係止部１０１及び後耳係止部１０２に係止したことを容易に確認することのできる安価な軒樋支持具を提供する。
【課題を解決するための手段】
【００２０】
上記目的を達成するため、
請求項１に係る軒樋支持具は、軒樋の前耳及び後耳を係止する前耳係止部及び後耳係止部を備えた軒樋支持具において、前記前耳係止部及び後耳係止部には、前記前耳及び／又は後耳の抜け外れを防止する抜け止めバネ片を内方に突出させて設けると共に、前記前耳係止部又は後耳係止部の少なくとも一方には、昇降自在なピンを設けたことを特徴とする。
【００２１】
請求項２に係る軒樋支持具は、請求項１におけるピンが通じる軸孔を、前記ピンの外径よりも大きいルーズな孔に形成したことを特徴とする。
【発明の効果】
【００２２】
本発明によれば、次のような効果がある。
請求項１によれば、軒樋の内壁面に形成される横溝の有無に関係なく、前耳及び後耳の抜け外れを防止できると共に、軒樋が前耳係止部及び後耳係止部に係止したことを容易に確認でき、しかも安価な軒樋支持具を製造できる。
【００２３】
また、請求項２によれば、ピンが通じる軸孔を、前記ピンの外径よりも大きいルーズな孔に形成することで、前記ピンが軸孔に引っ掛かることなく、スムーズ且つ円滑に昇降できる。
【発明を実施するための最良の形態】
【００２４】
以下、本発明に係る軒樋支持具Ａを図面とともに説明する。
【実施例１】
【００２５】
図１、図２は、本発明に係る軒樋支持具Ａの一実施例を示す概略説明図であり、図１では、横溝Ｔ３が形成された軒樋Ｔ’を取り付けた状態を示す軒樋支持具Ａの概略説明図、図２では、横溝Ｔ３が形成されていない軒樋Ｔを取り付けた状態を示す軒樋支持具Ａの概略説明図を各々示している。
【００２６】
なお、図１、図２では、共通する部材には、同一の番号を付し、重複する説明は省略する。
【００２７】
この軒樋支持具Ａは、軒樋Ｔの前耳Ｔ１及び後耳Ｔ２を係止する前耳係止部１及び後耳係止部２を備え、これら前耳係止部１及び後耳係止部２には、前耳Ｔ１及び／又は後耳Ｔ２の抜け外れを防止する抜け止めバネ片３を内方に突出させて設けると共に、前耳係止部１及び後耳係止部２の適所には、昇降自在なピン４を設けてなる。
【００２８】
なお、前耳係止部１及び後耳係止部２を備えた本体部Ａ１の形状は、本実施例に限定されるものではなく、軒先等の形状に応じて適宜選択される。
【００２９】
また、本発明の軒樋支持具Ａは、従来品をベースにして、その一部を加工するだけで簡単且つ安価に製造できる。
【００３０】
具体的には、「背景技術」の欄で説明した従来品である軒樋支持具１００、２００の何れをベースにしても構わないが、ここでは、加工の容易性を考慮して、従来品である軒樋支持具１００をベースにしている。
【００３１】
そのため、図１、図２で示した本発明の軒樋支持具Ａにおける前耳係止部１、後耳係止部２、抜け止めバネ片３は、従来品と同様であるため、その説明は省略する。
【００３２】
この従来品である軒樋支持具１００をベースにして、その前耳係止部１及び後耳係止部２の適所に、ピン４の通じる軸孔４１を開設したうえで、この軸孔４１に従来品で用いられた昇降自在なピン４を貫通すれば、本発明に係る軒樋支持具Ａを簡単且つ安価に製造できるのである。
【００３３】
また、ピン４が通じる軸孔４１は、ピン４の外径よりも大きいルーズな孔に形成しており、具体的には、軸孔４１は、ピン４の外径×１．０４〜１．０７、好ましくは、ピン４の外径×１．０５のルーズな孔に形成している。
【００３４】
このように、本発明では、ピン４が通じる軸孔４１を、ピン４の外径よりも大きいルーズな孔に形成することで、ピン４が軸孔４１に引っ掛かることなく、スムーズ且つ円滑に昇降できる。なお、ピン４の下端には、図例のように抜け外れを防止するためのカシメを形成しても良い。
【００３５】
更に、ピン４は、従来品の部品を流用できるので、新たに製造する必要がなく、本発明の軒樋支持具Ａを製造する場合にのみ、従来品である軒樋支持具１００に簡単な加工を施すだけで製造できるのである。
【００３６】
このように製造された本発明に係る軒樋支持具Ａでは、図１で示すように、横溝Ｔ３が形成された軒樋Ｔ’を取り付ける場合には、軒樋Ｔ’の前耳Ｔ１及び後耳Ｔ２を、前耳係止部１及び後耳係止部２の下方から各々抜け止めバネ片３に向けて押し込めば、この抜け止めバネ片３が、図中矢印で示すように、上方に弾性変形されると共に、ピン４も、図中矢印で示すように、上方に押し上げられて、前耳Ｔ１及び後耳Ｔ２を、前耳係止部１及び後耳係止部２に挿入されて、これら前耳Ｔ１及び後耳Ｔ２を係止できる。
【００３７】
一方、前耳Ｔ１及び後耳Ｔ２が係止されると同時に、上方に押し上げられていた各々のピン４は、その自重によって、図示された元の位置に落下して復元され、前耳Ｔ１及び後耳Ｔ２の抜け外れを防止すると共に、上方に弾性変形されていた抜け止めバネ片３は、その弾性力によって、図示された元の位置に復元されるため、この弾性復元時に生じるクリック音を発呼するのである。
【００３８】
なお、図２で示すように、本発明に係る軒樋支持具Ａに横溝Ｔ３が形成されていない軒樋Ｔを取り付ける場合も同じ要領である。
【００３９】
このように本発明に係る軒樋支持具Ａによれば、軒樋Ｔ、Ｔ’の内壁面に形成される横溝Ｔ３の有無に関係なく、前耳Ｔ１及び後耳Ｔ２の抜け外れを防止できると共に、軒樋Ｔ、Ｔ’が前耳係止部１及び後耳係止部２に係止したことを容易に確認でき、しかも安価な軒樋支持具Ａを製造できる。
【図面の簡単な説明】
【００４０】
【図１】、横溝Ｔ３が形成された軒樋Ｔ’を取り付けた状態を示す本発明に係る軒樋支持具Ａの一実施例を示す概略説明図である。
【図２】溝Ｔ３が形成されていない軒樋Ｔを取り付けた状態を示す本発明に係る軒樋支持具Ａの一実施例を示す概略説明図である。
【図３】（ａ）、（ｂ）は、前耳及び後耳の抜け外れを防止する構造の一例を示した従来の軒樋支持具であり、図３（ａ）は、バネ片による前耳及び後耳の抜け外れ防止構造を示した概略説明図、図３（ｂ）は、昇降自在なピンによる前耳及び後耳の抜け外れ防止構造を示した概略説明図である。
【図４】（ａ）、（ｂ）は、軒樋Ｔ’を、図３で示した軒樋支持具１００に取付けた状態の概略説明図である。
【図５】（ａ）、（ｂ）は、軒樋Ｔ’を、図３で示した軒樋支持具２００に取付けた状態の概略説明図である。
【符号の説明】
【００４１】
Ａ      軒樋支持具
Ｔ、Ｔ’軒樋
Ｔ１    前耳
Ｔ２    後耳
１      前耳係止部
２      後耳係止部
３      抜け止めバネ片
４      ピン
【図１】
2007146463.tif 000003
【図２】
2007146463.tif 000004
【図３】
2007146463.tif 000005
【図４】
2007146463.tif 000006
【図５】
2007146463.tif 000007